(57)【要約】【課題】  楽曲データのみがある場合に、その楽曲データに対応する歌詞を映像表示させることが可能であって、しかも、カラオケ装置が用意されることを前提とせず、且つ、楽曲音声の出力に対して歌詞表示の出力を対応付けるための信号処理が煩雑になることのないオーディオデータの再生を目的とする。【解決手段】  与えられた楽曲データのデータタグに基づいて、インターネット１８を介して対応する歌詞データを見付け出し、その見付け出した歌詞データを、前記楽曲データと共通する時間データを付して歌詞サーバ１９に格納する又は記録媒体２に記録し、前記楽曲データを再生の際に前記時間タグに基づいて前記歌詞データを再生して映像表示出力する構成とした。【選択図】  図１
2008256793.tif 000002
【特許請求の範囲】
【請求項１】
少なくともデータの受け取りができるように電気通信回線で接続されるネットワークに接続可能なオーディオデータ再生方法であって、
再生を所望する楽曲データに対応する歌詞データを予め時間タグを付して保存サーバに格納させておき、所望する楽曲データを再生する際に、その所望する楽曲に係るタグデータに基づいてネットワーク上の保存サーバから再生している楽曲に対応し且つ前記時間タグが付された歌詞データをダウンロードし、楽曲データの再生に対応させて前記時間タグに基づき歌詞データを映像表示するように構成されたことを特徴とするオーディオデータ再生方法。
【請求項２】
少なくともデータの受け取りができるように電気通信回線で接続されるネットワークに接続可能なオーディオデータ再生装置であって、
楽曲データを再生する再生プレーヤが備えられ、その再生プレーヤが記録された楽曲の再生を行う際にその楽曲に係るタグデータに基づいて、ネットワーク上の歌詞の保存サーバから再生している楽曲に対応し、且つ、保存サーバに予め時間タグが付されて格納された歌詞データをダウンロードし、そのダウンロードした歌詞データを前記時間タグに基づき楽曲に対応させて映像表示するように、前記前記再生プレーヤが楽曲データを再生するように構成されたことを特徴とするオーディオデータ再生装置。
【請求項３】
上記再生プレーヤが、その装置本体に組み込まれ若しくはその装置本体に対して着脱して装置本体に対して別体となり得る構成の請求項２に記載のオーディオデータ再生装置。
【発明の詳細な説明】
【技術分野】
【０００１】
この発明は、オーディオデータ再生装置に関し、特に、電気通信回線を介してインターネットに接続して楽曲データを受け取ることが可能であって、且つ、その受け取った楽曲データを再生する際に、楽曲データに係る歌詞を表示手段の画面に対応付けて表示させ得るオーディオデータ再生装置に関する。
【背景技術】
【０００２】
近年、デジタル携帯オーディオプレイヤの市場は急速に拡大し、それに伴い、家庭用のオーディオデータ再生装置においてパソコンを経由せずに直接オーディオプレイヤを接続し、音楽を楽しむことが可能な機種が知られている。
又、オーディオデータ再生装置の中には、電気通信回線を介してインターネットに接続することによって、インターネット上で配信されている楽曲を再生することが可能な製品が知られている。
【０００３】
斯かる機能を有するオーディオデータ再生装置は、再生している楽曲のタイトルや作者の情報を、オーディオデータ再生装置に接続されているテレビやプロジェクター等を使って表示することが可能である。
しかしながら、再生中の曲の歌詞の内容をテレビやプロジェクタ装置といった表示手段の画面に表示させたくとも、対応する歌詞のデータがデジタル携帯オーディオプレイヤー上のファイル内やインターネットで配信されている楽曲ストリームデータ上に同封されていない場合には歌詞を表示することができない。
【０００４】
そこで、再生しているファイルに存在する楽曲名や歌手名等の情報を用いて、表示させたいと所望する歌詞が保存されているサーバから対応する歌詞を見付け出してダウンロードすることによって、歌詞データの同封されてないファイルを再生している場合であっても歌詞を表示手段の画面上に表示することが可能になる。
又、歌詞を画面に表示する際、純粋なテキストだけのデータでは、楽曲データから再生されてる音声として出力される楽曲と歌詞データから再生されて表示される歌詞の同期をとることが不可能である。
【０００５】
つまり、楽曲データと歌詞データを対応付けて再生されるには、所望する楽曲データに対応する歌詞データが用意できていて、且つ、それら二つのデータがタイミング良く再生されることが必要である。
ここで、再生出力されている楽曲とその楽曲に対応する歌詞を同期させて再生表示する技術として、下記の特許文献１〜３が知られている。
【０００６】
【特許文献１】特開２００６−１９５３８５号公報
【特許文献２】特開２００６−２３５２６８号公報
【発明の開示】
【発明が解決しようとする課題】
【０００７】
特開２００６−１９５３８５号公報で開示されている発明は、市販の音楽データ（楽曲データ）の記録媒体を再生の際にその再生に対応して歌詞を表示手段に表示することを目的としており、市販の音楽データを記録した記録媒体の内容を記録媒体２に記憶させ、且つ、前記の音楽データに対応する歌詞データをインターネットなどから入手して記憶媒体２に記憶させておき、音楽データの再生時にボーカル信号と伴奏の信号を分離して母音列を抽出し、その抽出した母音列と音楽データに対応する歌詞データの母音列を比較して歌唱位置を特定して、対応する歌詞データを読み出して表示を行う構成である。
【０００８】
特開２００６−１９５３８５号公報で開示の発明は、斯かる構成によって、再生中の音楽データに対応して歌詞を表示することが可能な構成になっている。
しかし、同公報では、市販の音楽データを予め用意しておく必要があり、又、歌詞のタイムリーな表示出力のために音楽データの母音例を抽出し、その抽出の母音列と比較を行うことが必要であるが、その抽出と比較に煩雑な信号処理を行う必要があり、信号処理を行う手段も演算処理の高いことが要求されるという問題があった。
【０００９】
特開２００６−２３５２６８号公報で開示されている発明は、使用者が所望する移動先でカラオケ曲の演奏とそれに対応する歌詞を表示することを目的とし、リクエストのカラオケ曲をカラオケ装置から無線ＬＡＮ経由を介して受信し、その受信したデータに基づいて、ポジションデータとテンポ制御データを使って楽曲と対応する歌詞を同期付けてＬＣＤディスプレイに表示する構成の無線端末装置及びカラオケシステムである。
斯かる構成の発明では、カラオケ装置が予め用意されていることが前提であって、カラオケ装置がない場合には楽曲の再生出力も歌詞の表示出力も得ることが出来ないという問題がある。
【００１０】
又、楽曲と音声の出力できる曲が、それら二つのカラオケデータ（カラオケソフト）が揃っている場合にのみ出力が可能という問題があった。
この発明は、上記の事情に鑑みて為されたものであり、再生して得られる楽曲に対応して歌詞を表示出力することが可能であって、楽曲を得るためにカラオケ装置が用意されていることを前提とせず、且つ、歌詞の表示出力を対応付けるための信号処理が煩雑になることのないオーディオデータの再生を提供するものである。
【課題を解決するための手段】
【００１１】
この発明は、電気通信回線を介して得た楽曲データを再生する際に、その楽曲データに対応し、且つ、予め時間タグが付されて格納された歌詞データを電気通信回線を介してサーバから読み出し、更に、タグデータに基づいて楽曲データと歌詞データを対応付けて出力するように構成したものである。
【００１２】
その詳細な構成の第一は、少なくともデータの受け取りができるように電気通信回線で接続されるネットワークに接続可能なオーディオデータ再生方法であって、再生を所望する楽曲データに対応する歌詞データを予め時間タグを付して保存サーバに格納させておき、所望する楽曲データを再生する際に、その所望する楽曲に係るタグデータに基づいてネットワーク上の保存サーバから再生している楽曲に対応し且つ前記時間タグが付された歌詞データをダウンロードし、楽曲データの再生に対応させて前記時間タグに基づき歌詞データを映像表示するように構成されたことを特徴とするオーディオデータ再生方法である。
【００１３】
その詳細な構成の第二は、少なくともデータの受け取りができるように電気通信回線で接続されるネットワークに接続可能なオーディオデータ再生装置であって、楽曲データを再生する再生プレーヤが備えられ、その再生プレーヤが記録された楽曲の再生を行う際にその楽曲に係るタグデータに基づいて、ネットワーク上の歌詞の保存サーバから再生している楽曲に対応し、且つ、保存サーバに予め時間タグが付されて格納された歌詞データをダウンロードし、そのダウンロードした歌詞データを前記時間タグに基づき楽曲に対応させて映像表示するように、前記再生プレーヤが楽曲データを再生するように構成されたことを特徴とするオーディオデータ再生装置である。
【００１４】
尚、上記再生プレーヤは、その装置本体に組み込まれ若しくはその装置本体に対して着脱して装置本体に対して別体となり得る構成が挙げられる。
又、この発明では、楽曲データを電気通信回線を介してネットワークから受け取るものであってカラオケ装置から楽曲データを受け取ることはなく、又、再生ファイルのタグデータに基づいて当該楽曲に対応する歌詞データを得る構成となっている。
【発明の効果】
【００１５】
この発明は、楽曲データのタグデータに基づき電気通信回線を介して当該楽曲データに対応する時間タグが付された歌詞データを得て、且つ、時間タグに基づいて楽曲データと歌詞データを再生する構成であることにより、再生中の楽曲に対応する歌詞をタイムリーに表示することが可能であって、しかも、カラオケ装置があることを必須前提条件とせず、又、母音列の抽出や比較などといった煩雑な信号処理を必要とせずその分信号処理回路が簡便であるオーディオデータ再生装置である。
【発明を実施するための最良の形態】
【００１６】
この発明を、図面と共に実施するための最良の形態を用いて説明する。しかし、この形態によってこの発明が限定されるものではない。
図１に、オーディオデータ再生装置１に記録媒体２が装着され、且つ、電気通信回線であるインターネットに接続されていることを想定した状態を示す。
【００１７】
オーディオデータ再生装置１は、ＣＰＵ３と、メモリ４と、操作部５と、表示部６と、記録・再生部７と、スピーカ８と、歌詞映像出力端９と、ＣＰＵ１０と、メモリ１１と、操作部１２と、表示部１３と、再生部１４と、楽曲音声出力端１５と、歌詞映像出力端１６と、インターネット１８との接続端（図示省略）が備えられている。
ＣＰＵ３は、装置本体（図示省略）における機能に関わる信号処理、演算、制御信号の生成・出力等を行うものである。又、ＣＯＵ３は、インターネット１８とアクセスが可能になっている。
【００１８】
メモリ４は、ＣＰＵ３に接続されており、ＣＰＵ３の機能に必要なデータが格納されている。
操作部５は、ＣＰＵ３に接続されており、ユーザーが所望する機能についてＣＰＵ３に対する操作信号を送るためのものである。
【００１９】
表示部６は、ＣＰＵ３に接続されており、液晶表示パネル（図示省略）が備えられ、装置の現時点での機能状態、操作部５からの操作内容等を表示するものである。
記録・再生部７は、ＣＰＵ３、記録媒体２及びスピーカ８に接続されており、ＣＰＵ３からの制御信号に従って、記録媒体２に楽曲データと歌詞データを記録し、又、記録媒体２から楽曲データ及び歌詞データを再生出力するものである。
【００２０】
つまり、記録・再生部７は、ＣＰＵ３からの制御信号に従って、記録媒体２に楽曲データと歌詞データをそれぞれ独立して記録し、又、記録媒体２から楽曲データ及び歌詞データを独立して再生出力することが可能である。
これと共に、記録・再生部７は、ＣＰＵ３からの制御信号に従って、互いに対応する楽曲データと歌詞データに共通する時間タグをつけて互いに関連付けて記録媒体に２に記録し、且つ、記録媒体２から共通の時間タグによって互いに対応付けられた楽曲データ及び歌詞データを対応付けて再生出力することも可能である。
【００２１】
記録・再生部７にはスピーカ８が接続され、スピーカ８から、記録・再生部７が記録媒体２から再生した楽曲が出力される構成になっている。
又、記録・再生部７には、映像表示手段（図示省略）と接続可能であって、記録・再生部７からの歌詞映像に係る信号を出力するするための歌詞映像出力端９が接続されている。
【００２２】
尚、前記映像表示手段は、具体的に、液晶モニター、テレビ、プロジェクター等が挙げられる。
オーディオデータ再生装置１は、装置本体に対して着脱可能であって、携行して所望の場所において記録媒体２に記録されている楽曲データ及び歌詞データの再生を行うポータブルタイプの再生プレーヤ１７が備えられている。
【００２３】
再生プレーヤ１７は、ＣＰＵ１０と、メモリ１１と、操作部１２と、表示部１３と、再生部１４と、楽曲音声出力端１５及び歌詞映像出力端１６を備えて構成されている。
ＣＰＵ１０は、再生プレーヤ１７における機能に関わる信号処理、演算、制御信号の生成・出力等を行うものである。
【００２４】
メモリ１１は、ＣＰＵ１０に接続されており、ＣＰＵ１０の機能に必要なデータが格納されている。
操作部１２は、ＣＰＵ１０に接続されており、ユーザーが所望する機能についてＣＰＵ１０に対する操作信号を送るためのものである。
【００２５】
表示部１３は、ＣＰＵ１０に接続され、液晶表示パネル（図示省略）が備えられており、再生プレーヤ１７の現時点での機能状態、操作部５からの操作内容等を表示するものである。
再生部１４は、ＣＰＵ１０、記録媒体２、楽曲音声出力端１５及び歌詞映像出力端１６に接続されており、ＣＰＵ１０からの制御信号に従って、記録媒体２から楽曲データ及び歌詞データを再生出力するものである。
【００２６】
ここで、ＣＰＵ１０は、ＣＰＵ３と互いに独立した構成であり、ＣＰＵ３の機能によってインターネット１８を介して歌詞サーバ１９、ネットラジオサーバ２０或いは他のサーバ（図示省略）からの得て記録媒体２に記録されたデータについては再生部１４によって再生出力の制御が可能である。
ここで、歌詞サーバ１９は、ある楽曲データに対して対応する歌詞に係る歌詞データを格納する保存サーバである。既述したように、所望により、歌詞データは記録・再生部７によって記録媒体２に記録することも可能である。
【００２７】
又、ネットラジオサーバ２０は、ここでは、ラジオ番組に対応して、数多くの楽曲データと歌詞データが格納されており、ユーザーが所望する際にアクセスが可能なサーバを意味している。
尚、ＣＰＵ３は、ネットラジオサーバ２０から特定のカラオケ曲に係る楽曲データＡとこれに対応する歌詞データａをダウンロードする場合、それらの楽曲データＡと歌詞データａに共通する時間タグを付けて記録媒体２に記録するように制御を行うものである。
【００２８】
他方、再生プレーヤ１７において、ＣＰＵ１０は、記録媒体２に記録され、互いに共通する時間タグで対応付けられている楽曲データＡと歌詞データａ、楽曲データＢと歌詞データｂ、楽曲データＣと歌詞データｃ、・・・のペアを再生する際に、楽曲データを再生して楽曲音声を出力することに対して各ペアの関連付けられた時間タグに基づいて歌詞データからの歌詞映像が出力するように、信号処理を行うものである。
以下において、歌謡の「朧月夜」の場合を例にして、オーディオデータ再生装置１の機能を説明する。
【００２９】
ユーザーは、操作部５からメイン電源を入れて装置をＯＮ状態にさせ、楽曲音声出力と歌詞映像出力を所望している「朧月夜」の検索から始める。つまり、ユーザーは、操作部５から「朧月夜」の演奏曲の楽曲データＤをインターネット１８を介してネットラジオサーバ２０から見付け出すように操作を行う。
ここで、ＣＰＵ３は、操作部５からのリクエストの信号を受けると、「朧月夜」の楽曲データＤを見付け出すように検索の信号をインターネット１８に送る。
【００３０】
インターネット１８は、ＣＰＵ３からの制御信号に基づいてネットラジオサーバ２０から「朧月夜」の楽曲データＤを見付け出すと、その旨を表示部６が表示する。続いて、ＣＰＵ３は、記録媒体２にその見付け出した「朧月夜」の楽曲データＤを記録媒体２に記録するように、制御を行う。
ここで、記録媒体２に、「朧月夜」の楽曲データＤが記録・再生部７によって記録される。
【００３１】
ユーザーは、記録媒体２に記録させた「朧月夜」の楽曲データＤに対して、単にその楽曲を再生して聴くのではなく、後日、カラオケとして歌ってみたくなるかも知れないと思い、歌詞をペアとして記録しておくべきだと考え、「朧月夜」の歌詞データｄをも記録することを考える。
そこで、ユーザーは、「朧月夜」の歌詞データｄを検索するように、操作部５を操作する。
【００３２】
ここで、ＣＰＵ３は、操作部５からの制御信号（検索命令信号）を受けると、インターネット１８を介し、「朧月夜」の楽曲データＤのタグデータを手掛かりに対応する歌詞データｄの検索を行う。
保存サーバであるネットラジオサーバ２０に「朧月夜」の歌詞データｄが見付かると、インターネット１８を介してその旨がＣＰＵ３に伝えられ、表示部６に表示される。
【００３３】
ユーザーが、ラジオネットサーバ１６から「朧月夜」の歌詞データｄを歌詞サーバ１９に格納して、所望により、読み出しが可能にしておく。この 格納の際に、「朧月夜」の歌詞データｄに楽曲データｄと共通する時間タグを付するように、ＣＰＵ３は機能する。
次に、ラジオネットサーバ１６から「朧月夜」の歌詞データｄをオーディオデータ再生装置１にダウンロードすると、ＣＰＵ３は、「朧月夜」の楽曲データＤを再生する際に音声出力と表示出力が対応するように「朧月夜」の歌詞データｄに共通する時間タグを付して記録媒体２に記録するように、記録・再生部７の制御を行う。
ここで、記録媒体２には、共通の時間タグの付された「朧月夜」の楽曲データＤと歌詞データｄが記録される。
【００３４】
ユーザーは、記録の目的としていた「朧月夜」の楽曲データＤと歌詞データｄを見付けることができ、又、それらの楽曲データＤと歌詞データｄを記録したので、出力して確認することを考えた。
そこで、歌詞映像出力端９に液晶モニター（図示省略）を接続し、記録媒体２に記録されている「朧月夜」の楽曲データＤを再生してスピーカ８から音声出力させ、且つ、歌詞サーバ１９に格納されている「朧月夜」の歌詞データｄをダウンロードさせて再生して映像出力させるように、操作部５から操作を行う。
【００３５】
ここで、ＣＰＵ３は、記録媒体２から「朧月夜」の楽曲データＤを記録・再生部７に読み出すと共に、「朧月夜」の歌詞データｄを歌詞サーバ１９から記録・再生部７にダウンロードさせ、それら「朧月夜」の楽曲データＤと歌詞データｄが記録・再生部７のメモリ（図示省略）に記録された後、前記共通の時間タグに基づいて再生出力をするように、制御信号を出力する。
「朧月夜」の楽曲データＤは、再生されて出力、つまり、前奏を開始する。「朧月夜」の歌詞データｄは、この前奏の開始からつまり楽曲の開始から３０秒後に、時間タグに基づいて『菜の花畠に』という歌詞映像信号に再生して歌詞映像出力端９を介して前記液晶モニターに送られる。
【００３６】
ここで、前記液晶モニターには、歌詞『菜の花畠に』に対応するメロディー（楽曲）の開始より１．５秒前から歌詞『菜の花畠に』の歌詞が映像として表示される。
曲が進むと、開始から３６秒後に、歌詞データｄから『入り日うすれ』が再生出力されて歌詞映像出力端９を介して前記液晶モニターに送られ、映像となって表示される。
【００３７】
尚、この『入り日うすれ』の前記液晶モニターによる映像表示の開始から、１．５秒後に楽曲データＤに基づく『入り日うすれ』に対応する楽曲音声（メロディー）が再生されてスピーカ８から出力される。
以下、同様に、「朧月夜」の再生が終了するまで、楽曲データＤに対応して歌詞データｄが再生されて前記液晶モニターで映像として出力される。
【００３８】
続いて、ユーザーは、「朧月夜」を所望する他の場所で所望する時に再生したいと考えて、再生プレーヤ１７を装置本体との一体化を解除してポータブルタイプのプレーヤとして携行する。
日系外国人が多く集まる音楽スタジオを訪ねた処、その音楽スタジオに集まった日系外国人が「朧月夜」を正しい歌詞を沿ってカラオケで歌いたがっているが、その音楽スタジオに「朧月夜」のカラオケテープがないこともが判った。
そこで、ユーザーは、その音楽スタジオのスピーカ（図示省略）に楽曲音声出力端１５を、映像表示手段であるプロジェクター（図示省略）に歌詞映像出力端１６をそれぞれ接続し、操作部１２を操作して電源をＯＮとした。
【００３９】
ユーザーは、続いて、操作部１２を操作して表示部１３で目視確認をしながら記録媒体２の中から「朧月夜」のデータを捜し、「朧月夜」の楽曲データＤと歌詞データｄの再生出力の操作を行う。
ここで、ＣＰＵ１０は、記録媒体２に記録されている「朧月夜」の楽曲データＤと歌詞データｄを再生部１４に読み出し、前記共通の時間タグに基づいて出力するように、制御を行う。
【００４０】
再生部１４は、ＣＰＵ１０からの制御により、記録媒体２から「朧月夜」の楽曲データＤと歌詞データｄを内蔵のメモリ（図示省略）に記録された後、前記共通の時間タグに基づいて再生出力を行う。
「朧月夜」の楽曲データＤは、再生されて出力、つまり、前奏を開始する。「朧月夜」の歌詞データｄは、この前奏の開始（楽曲の開始）から３０秒後に、時間タグに基づいて『菜の花畠に』という歌詞映像信号に再生して歌詞映像出力端９を介して前記プロジェクターに送られる。
【００４１】
ここで、前記プロジェクターには、歌詞『菜の花畠に』に対応するメロディー（楽曲）の開始より１．５秒前から歌詞『菜の花畠に』の歌詞が映像として表示される。
曲が進むと、開始から３６秒後に、歌詞データｄから『入り日うすれ』が再生出力されて歌詞映像出力端９を介して前記プロジェクターに送られ、映像となって表示される。
【００４２】
尚、この『入り日うすれ』の前記プロジェクターによる映像表示の開始から、１．５秒後に楽曲データＤに基づく『入り日うすれ』に対応する楽曲音声（メロディー）が再生されてスピーカ８から出力される。
以下、同様に、「朧月夜」の再生が終了するまで、楽曲データＤに対応して歌詞データｄが再生されて映像として出力される。
【００４３】
つまり、上記の音楽スタジオで、「朧月夜」の音楽テープ等がなくとも、再生プレーヤ１７によって、「朧月夜」の楽曲音声と歌詞映像が時間的にリンクして出力される。
ここで、楽曲音声と歌詞映像の時間的なリンクとは、歌い手がプロジェクターによって映像出力される歌詞を見てからスピーカによって音声出力される楽曲に合わせて自分の声を発することが可能な程度に、歌詞映像の出力が楽曲音声の出力よりもタイミング的に僅かに早いことを意味している。
【００４４】
オーディオデータ再生装置１は、上述したように、楽曲データＤのタグデータに基づきインターネット（電気通信回線）を介して対応する歌詞データｄを探し出すので、歌詞データｄが手元にない場合であっても、歌詞を得ることが可能になっている。
そして、楽曲データＤと対応する歌詞データｄに共通する時間タグを付して記録媒体２に記録する、又は、保存サーバ１９に格納することによって、記録・再生部７によって再生する際にはそれら楽曲データＤと歌詞データｄを時間的にリンクさせて出力させることが可能であって、しかも、ＣＰＵ３は前記共通の時間タグに基づいてデータの出力を制御するだけであって高度で高速の演算といった煩雑な信号処理を必要とせず、その分ＣＰＵは簡便な構成で済ますことが可能になっている。
【００４５】
又、オーディオデータ再生装置１は、上述したように、カラオケ装置があることを前提としておらず、カラオケ装置では対応して用意された楽曲データと歌詞データの組み合わせ（カラオケソフト）しか出力できないが、オーディオデータ再生装置１はカラオケ装置で楽曲データと歌詞データの二つが用意される曲に限定されることはない。
オーディオデータ再生装置１において、操作部５は装置本体と着脱可能なリモートコントロール器の構成であってもよく、又、高度な操作を行い得るように、キーボードであってもよい。
【００４６】
記録媒体２は、内蔵タイプであっても交換タイプであっても、更には、内蔵タイプと交換タイプの二種から構成されるものであってもよい。
記録・再生部７及び再生部１４は、記録媒体２の種類に対応して適宜選択されることになる。
【００４７】
スピーカ８は装置本体に付設されているが、外付けタイプであってもよく、更には、大出力用に外付けのスピーカに切り換えて楽曲音声を出力させる構成であってもよい。
記録・再生装部７からの歌詞映像の出力を表示部６で、再生部１４からの歌詞映像の出力を表示部１３でそれぞれ行い得る構成とすることで、モニター映像を得たり、映像出力手段がない場合の代用という使い方が可能である。
【図面の簡単な説明】
【００４８】
【図１】この発明の実施形態に記録媒体を装着し且つ電気通信回線を接続した際の構成を示す機能ブロック図である。
【符号の説明】
【００４９】
１：      オーディオデータ再生装置
２：      記録媒体
３：      ＣＰＵ
７：      記録・再生部
８：      スピーカ
９：      歌詞映像出力端
１０：    ＣＰＵ
１４：    再生部
１５：    楽曲音声出力端
１６：    歌詞映像出力端
１８：    インターネット（電気通信回線）
１９：    歌詞サーバ
２０：    ネットラジオサーバ
【図１】
2008256793.tif 000003